(57)【要約】【課題】軽微な不具合に対して画像表示を行っても、安全性を保障することができるプラズマディスプレイ装置を提供する。【解決手段】走査電極および維持電極とデータ電極とを有するプラズマディスプレイパネル１０と、走査電極に駆動電圧波形を印加する走査電極駆動回路と、維持電極に駆動電圧波形を印加する維持電極駆動回路５４と、走査電極駆動回路および維持電極駆動回路５４のそれぞれに電力を供給する電源回路とを備えたプラズマディスプレイ装置であって、電源回路は、走査電極駆動回路または維持電極駆動回路５４に供給する複数の電圧を発生するように構成し、かつその複数の電圧の少なくとも１つを正の温度特性をもつサーミスタＲ７２１を介して供給する。【選択図】図６
2008040409.tif 000002
【特許請求の範囲】
【請求項１】
走査電極および維持電極とデータ電極とを有するプラズマディスプレイパネルと、
前記走査電極に駆動電圧波形を印加する走査電極駆動回路と、
前記維持電極に駆動電圧波形を印加する維持電極駆動回路と、
前記走査電極駆動回路および前記維持電極駆動回路のそれぞれに電力を供給する電源回路とを備えたプラズマディスプレイ装置であって、
前記電源回路は、前記走査電極駆動回路または前記維持電極駆動回路に供給する複数の電圧を発生するように構成し、かつその複数の電圧の少なくとも１つを正の温度特性をもつサーミスタを介して供給するように構成したことを特徴とするプラズマディスプレイ装置。
【請求項２】
前記維持電極駆動回路は、初期化期間において第１の電圧を維持電極に印加するとともに、書込み期間において前記第１の電圧に第２の電圧を重畳した電圧を前記維持電極に印加し、
かつ前記電源回路は前記第２の電圧を前記正の温度特性をもつサーミスタを介して前記維持電極駆動回路に供給するように構成したことを特徴とする請求項１に記載のプラズマディスプレイ装置。
【発明の詳細な説明】
【技術分野】
【０００１】
本発明は、プラズマディスプレイパネルを用いた画像表示装置であるプラズマディスプレイ装置に関する。
【背景技術】
【０００２】
画像表示パネルとして代表的なプラズマディスプレイパネル（以下、単に「パネル」と略記する）を用いたプラズマディスプレイ装置は、視野角が広く大画面化が容易であり、かつ自発光型であり画像表示品質が高いこと等から大画面画像表示装置の主流となりつつある。
【０００３】
パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えばキセノンを含む放電ガスが封入されている。ここで表示電極対とデータ電極との対向する部分に放電セルが形成される。
【０００４】
プラズマディスプレイ装置は、これらの放電セルのそれぞれを独立に制御し、選択的に放電、発光させることにより画像を表示している。そして、多くの電圧値をもつ駆動電圧波形を走査電極、維持電極、データ電極に印加することによりこれらの放電を安定して制御している。
【０００５】
プラズマディスプレイ装置は、画像信号処理回路、各種制御回路、パネルの各電極を駆動するための電極駆動回路を備えるとともに、それらの回路ブロックへ電源を供給するための電源回路を備えている。そしてこの電源回路は、画像信号処理回路、各種制御回路を駆動するための電源、放電を発生させるための各種の電圧値をもつ電源等、数多くの電源を備え各回路ブロックへ電力を供給している。
【０００６】
このような電源回路には通常、プラズマディスプレイ装置の動作中に何らかの異常が発生した場合、安全に装置の動作を停止させるための各種の保護回路が設けられている。例えば特許文献１には、部品の破壊を検出し電源をオフする保護回路の例が記載されており、また特許文献２には電源回路の一部が故障しても制御回路を破壊することがない電源装置が開示されている。
【特許文献１】特開２００４−４５８１６号公報
【特許文献２】特開２００５−１４３１５５号公報
【発明の開示】
【発明が解決しようとする課題】
【０００７】
上述したこれらの電源回路はいずれも、プラズマディスプレイ装置に何らかの不具合が発生した場合、異常を検出して電源の出力を停止し、画像表示装置としての動作を停止するものである。しかしながら、不具合の種類によっては必ずしも動作を停止させる必要がなく、画像表示品質がやや低下する等の不具合があっても、安全性が保障できれば画像を表示できるほうが望ましい場合がある。
【０００８】
本発明のプラズマディスプレイ装置は、上記課題に鑑みなされたものであり、軽微な不具合に対して画像表示を行っても、安全性を保障することができるプラズマディスプレイ装置を提供することを目的とする。
【課題を解決するための手段】
【０００９】
本発明は、走査電極および維持電極とデータ電極とを有するパネルと、走査電極に駆動電圧波形を印加する走査電極駆動回路と、維持電極に駆動電圧波形を印加する維持電極駆動回路と、走査電極駆動回路および維持電極駆動回路のそれぞれに電力を供給する電源回路とを備えたプラズマディスプレイ装置であって、電源回路は、走査電極駆動回路または維持電極駆動回路に供給する複数の電圧を発生するように構成し、かつその複数の電圧の少なくとも１つを正の温度特性をもつサーミスタを介して供給するように構成したことを特徴とする。この構成により軽微な不具合に対して画像表示を行っても、安全性を保障することができるプラズマディスプレイ装置を提供することができる。
【００１０】
また本発明のプラズマディスプレイ装置の維持電極駆動回路は、初期化期間において第１の電圧を維持電極に印加するとともに書込み期間において第１の電圧に第２の電圧を重畳した電圧を維持電極に印加し、かつ電源回路は第２の電圧を正の温度特性をもつサーミスタを介して維持電極駆動回路に供給してもよい。この構成によっても軽微な不具合に対して画像表示を行っても、安全性を保障することができるプラズマディスプレイ装置を提供することができる。
【発明の効果】
【００１１】
本発明によれば、軽微な不具合に対して画像表示を行っても、安全性を保障することができるプラズマディスプレイ装置を提供することが可能となる。
【発明を実施するための最良の形態】
【００１２】
以下、本発明の実施の形態におけるプラズマディスプレイ装置について、図面を用いて説明する。
【００１３】
（実施の形態）
図１は、本発明の実施の形態におけるパネル１０の構造を示す分解斜視図である。ガラス製の前面基板２１上には、走査電極２２と維持電極２３とからなる表示電極対２８が複数形成されている。そして走査電極２２と維持電極２３とを覆うように誘電体層２４が形成され、その誘電体層２４上に保護層２５が形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００１４】
これら前面基板２１と背面基板３１とは、微小な放電空間を挟んで表示電極対２８とデータ電極３２とが交差するように対向配置され、その外周部をガラスフリット等の封着材によって封着されている。そして放電空間には、例えばネオンとキセノンの混合ガスが放電ガスとして封入されている。放電空間は隔壁３４によって複数の区画に仕切られており、表示電極対２８とデータ電極３２とが交差する部分に放電セルが形成されている。そしてこれらの放電セルが放電、発光することにより画像が表示される。
【００１５】
なお、パネル１０の構造は上述したものに限られるわけではなく、例えばストライプ状の隔壁を備えたものであってもよい。
【００１６】
図２は、本発明の実施の形態におけるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【００１７】
図３は、本発明の実施の形態におけるパネル１０を用いたプラズマディスプレイ装置１００の回路ブロック図である。プラズマディスプレイ装置１００は、パネル１０、画像信号処理回路５１、データ電極駆動回路５２、走査電極駆動回路５３、維持電極駆動回路５４、タイミング発生回路５５および各回路ブロックに必要な電源を供給する電源回路６０を備えている。
【００１８】
画像信号処理回路５１は、入力された画像信号ｓｉｇをサブフィールド毎の発光・非発光を示す画像データに変換する。データ電極駆動回路５２は、サブフィールド毎の画像データを各データ電極Ｄ１〜Ｄｍに対応する信号に変換し各データ電極Ｄ１〜Ｄｍを駆動する。
【００１９】
タイミング発生回路５５は、水平同期信号Ｈおよび垂直同期信号Ｖをもとにして各回路ブロックの動作を制御する各種のタイミング信号を発生し、それぞれの回路ブロックへ供給する。走査電極駆動回路５３は、タイミング信号にもとづいて各走査電極ＳＣ１〜ＳＣｎのそれぞれに複数の電圧値をもつ駆動電圧波形を印加して各走査電極ＳＣ１〜ＳＣｎを駆動する。維持電極駆動回路５４は、タイミング信号にもとづいて維持電極ＳＵ１〜ＳＵｎに複数の電圧値をもつ駆動電圧波形を印加して維持電極ＳＵ１〜ＳＵｎを駆動する。
【００２０】
電源回路６０は、画像信号処理回路５１、タイミング発生回路５５には電圧の低いいくつかの電圧、本実施の形態においては５Ｖ、１５Ｖ、−１５Ｖの電圧を供給している。データ電極駆動回路５２には書込みパルスを発生させるための電圧Ｖｄ（およそ７０Ｖ）を供給している。また走査電極駆動回路５３および維持電極駆動回路５４には、詳細は後述するが様々な電圧値をもつ複数の電圧を供給している。本実施の形態においては、走査電極駆動回路５３には電圧Ｖｓ（およそ１８０Ｖ）、電圧Ｖｉ２（およそ４００Ｖ）、電圧Ｖａ（およそ−１００Ｖ）、電圧Ｖｉ４（およそ電圧Ｖａ＋５Ｖ）、電圧Ｖｃ（およそ電圧Ｖａ＋１００Ｖ）の電圧を供給し、維持電極駆動回路５４には、電圧Ｖｓ（およそ１８０Ｖ）、電圧Ｖｅ１（およそ１２０Ｖ）、電圧ΔＶｅ（およそ５Ｖ）の電圧を供給している。
【００２１】
次に、パネルを駆動するための駆動電圧波形とその動作について説明する。パネルを駆動する方法としてはサブフィールド法が用いられている。これは、１フィールド期間を複数のサブフィールドに分割し、それぞれのサブフィールドで各放電セルの発光・非発光を制御することにより階調表示を行う方法である。そして、サブフィールドのそれぞれは、初期化期間、書込み期間および維持期間を有する。初期化期間では放電セルで初期化放電を行い、続く書込み動作のために必要な壁電荷を形成する。書込み期間では、走査電極に順次走査パルスを印加するとともにデータ電極には表示すべき画像信号に対応した書込みパルスを印加して書込み放電を行い、選択的な壁電荷形成を行う。続く維持期間では発光させるべき表示輝度に応じた所定の回数の維持パルスを走査電極と維持電極との間に印加し、書込み放電による壁電荷形成を行った放電セルを選択的に放電、発光させる。
【００２２】
図４は、本発明の実施の形態におけるパネル１０の各電極に印加する駆動電圧波形図である。図４には２つのサブフィールドの駆動電圧波形を示しているが、他のサブフィールドにおける駆動電圧波形もほぼ同様である。
【００２３】
第１サブフィールドの初期化期間前半部では、データ電極Ｄ１〜Ｄｍ、維持電極ＳＵ１〜ＳＵｎにそれぞれ０Ｖを印加し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。ここで、電極上部の壁電圧とは電極を覆う誘電体層上、保護層上、蛍光体層上等に蓄積された壁電荷により生じる電圧を表す。なお本実施の形態においては、電圧Ｖｉ１は後述する電圧Ｖｓに等しい。
【００２４】
初期化期間後半部では、維持電極ＳＵ１〜ＳＵｎに正の電圧Ｖｅ１を印加し、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。本実施の形態においては、電圧Ｖｉ３も後述する電圧Ｖｓに等しい。
【００２５】
なお、初期化期間の駆動電圧波形としては、図４の第２サブフィールドの初期化期間に示したように、初期化期間後半部の電圧波形だけを印加してもよく、この場合には直前のサブフィールドの維持期間において維持放電を行った放電セルで選択的に初期化放電が発生する。
【００２６】
続く書込み期間では、維持電極ＳＵ１〜ＳＵｎに電圧Ｖｅ２を、走査電極ＳＣ１〜ＳＣｎに電圧Ｖｃを印加する。ここで、電圧Ｖｅ２は電圧Ｖｅ１に電圧ΔＶｅを重畳した電圧である。
【００２７】
次に、１行目の走査電極ＳＣ１に負の走査パルスとして電圧Ｖａを印加するとともに、データ電極Ｄ１〜Ｄｍのうち１行目に発光させるべき放電セルのデータ電極Ｄｋ（ｋ＝１〜ｍ）に正の書込みパルスとして電圧Ｖｄを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧の差とが加算されたものとなり放電開始電圧を超え、データ電極Ｄｋと走査電極ＳＣ１との間で放電が発生する。そしてこの放電がきっかけとなり維持電極ＳＵ１と走査電極ＳＣ１との間の放電に進展する。こうして書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００２８】
ここで、初期化期間後半部に維持電極ＳＵ１〜ＳＵｎに印加した電圧Ｖｅ１よりもΔＶｅだけ高い電圧Ｖｅ２を維持電極ＳＵ１〜ＳＵｎに印加する理由は、データ電極Ｄｋと走査電極ＳＣ１との間で発生した放電が走査電極ＳＣ１と維持電極ＳＵ１との間の放電に進展するのを助けるためである。その結果、書込み動作をより確実に発生させて画像表示品質を向上させることができる。
【００２９】
このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜Ｄｍと走査電極ＳＣ１との交差部の電圧は放電開始電圧を超えないので、書込み放電は発生しない。以上の書込み動作を走査電極ＳＣｎのｎ行目の放電セルに至るまで行い、書込み期間が終了する。
【００３０】
続く維持期間では、まず走査電極ＳＣ１〜ＳＣｎに正の維持パルスとして電圧Ｖｓを印加するとともに維持電極ＳＵ１〜ＳＵｎに０Ｖを印加する。すると書込み放電を起こした放電セルでは、走査電極ＳＣｉ上と維持電極ＳＵｉ上との電圧差が電圧Ｖｓに走査電極ＳＣｉ上の壁電圧と維持電極ＳＵｉ上の壁電圧との差が加算されたものとなり放電開始電圧を超える。そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００３１】
続いて、走査電極ＳＣ１〜ＳＣｎには０Ｖを、維持電極ＳＵ１〜ＳＵｎには維持パルスとして電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。
【００３２】
以降同様に、走査電極ＳＣ１〜ＳＣｎと維持電極ＳＵ１〜ＳＵｎとに交互に輝度重みに応じた数の維持パルスを印加し、表示電極対の電極間に電位差を与えることにより、書込み期間において書込み放電を起こした放電セルで維持放電が継続して行われる。
【００３３】
そして、維持期間の最後には、走査電極ＳＣ１〜ＳＣｎと維持電極ＳＵ１〜ＳＵｎとの間にいわゆる細幅パルス状の電位差を与えて、データ電極Ｄｋ上の正の壁電圧を残したまま、走査電極ＳＣｉおよび維持電極ＳＵｉ上の壁電圧を消去している。こうして維持期間における維持動作が終了する。
【００３４】
続くサブフィールドの動作は第１サブフィールドの動作とほぼ同様であるため説明を省略する。
【００３５】
次に、電源回路６０および維持電極駆動回路５４について説明する。図５は本発明の実施の形態における電源回路６０の回路ブロック図である。電源回路６０は１次側整流部６２、低圧電源部６４、高圧電源部６６、副電源部７２を備えている。１次側整流部６２は商用ＡＣ１００Ｖ電源を整流、平滑化する。低圧電源部６４は多出力のスイッチングレギュレータ構成であり、主に画像信号処理回路５１、タイミング発生回路５５およびその他の回路ブロックの制御回路部分に供給する５Ｖ、１５Ｖ、−１５Ｖの電圧を発生する。これらの電圧を発生する回路のそれぞれには、過電流を検出して出力電流を制限する通常の保護回路が設けられている。高圧電源部６６も多出力のスイッチングレギュレータ構成であり、データ電極駆動回路５２、走査電極駆動回路５３、維持電極駆動回路５４に供給する多種類の電圧を発生する。具体的には本実施の形態においては、電圧Ｖｄ、電圧Ｖｓ、電圧Ｖｉ２、電圧Ｖａ、電圧Ｖｉ４、電圧Ｖｃ、電圧Ｖｅ１の各電圧を発生している。これらの電圧を発生する回路のそれぞれにも、過電流を検出して電流を制限する通常の保護回路が設けられている。副電源部７２は、低圧電源部６４、高圧電源部６６で発生した電圧のいくつかにもとづいて新たな電圧を発生させる。本実施の形態においては、副電源部７２は低圧電源部６４で発生する電圧１５Ｖとにもとづき電圧ΔＶｅを発生させる。
【００３６】
維持電極駆動回路５４は、維持期間において維持パルスを発生するための維持パルス発生部５９と、初期化期間、書込み期間において印加する電圧Ｖｅ１、電圧Ｖｅ２を発生するためのＶｅ電圧発生部７４とを備えている。
【００３７】
図６は本発明の実施の形態における電源回路６０の副電源部７２および維持電極駆動回路５４のＶｅ電圧発生部７４の回路図である。副電源部７２は、低圧電源部６４で発生した１５Ｖラインに接続された正の温度特性をもつサーミスタ（以下、「正特性サーミスタ」と略記する）Ｒ７２１と、２つのトランジスタＱ７２１、Ｑ７２２で構成された電流バッファＢ７２１と、電流バッファＢ７２１の入力に接続され電圧ΔＶｅの電圧値を決定する可変抵抗器Ｒ７２２と、電流バッファＢ７２１の出力に接続され電圧を安定させるコンデンサＣ７２１とを有する。
【００３８】
このような構成により、可変抵抗器Ｒ７２２が電圧１５Ｖを分圧して電圧ΔＶｅを発生させ、電流バッファＢ７２１により電流増幅されるので、副電源部７２は電圧ΔＶｅの電源として動作する。なお、可変抵抗器Ｒ７２２の代わりに基準電圧を発生させるレギュレータＩＣ等を用いてもよい。
【００３９】
Ｖｅ電圧発生部７４は、高圧電源部６６で発生した電圧Ｖｅ１に接続された逆流防止ダイオードＤ７４１と、ダイオードＤ７４１を介して電圧Ｖｅ１を出力するスイッチング素子Ｑ７４１およびスイッチング素子Ｑ７４２と、第１の端子をダイオードＤ７４１のカソード側に接続されたコンデンサＣ７４１と、コンデンサＣ７４１の第２の端子を接地するスイッチング素子Ｑ７４３と、コンデンサＣ７４１の第２の端子に電圧ΔＶｅを接続するスイッチング素子Ｑ７４４とを有する。
【００４０】
この構成において、初期化期間後半部ではスイッチング素子Ｑ７４１、Ｑ７４２をオンとすることで電圧Ｖｅ１がダイオードＤ７４１、スイッチング素子Ｑ７４１、Ｑ７４２を介して維持電極ＳＵ１〜ＳＵｎに印加される。このときスイッチング素子Ｑ７４３をオンとし、コンデンサＣ７４１に電圧Ｖｅ１を充電しておく。次に、書込み期間では、スイッチング素子Ｑ７４３をオフとし、スイッチング素子Ｑ７４４をオンとする。すると、コンデンサＣ７４１の第２の端子に電圧ΔＶｅが印加される。このときコンデンサＣ７４１には電圧Ｖｅ１が充電されているために、コンデンサＣ７４１の第１端子の電圧は電圧Ｖｅ１に電圧ΔＶｅが重畳された電圧Ｖｅ２となり、維持電極ＳＵ１〜ＳＵｎにはこの電圧Ｖｅ２がスイッチング素子Ｑ７４１、Ｑ７４２を介して印加されることになる。
【００４１】
このように維持電極駆動回路５４は、初期化期間において第１の電圧である電圧Ｖｅ１を維持電極ＳＵ１〜ＳＵｎに印加するとともに、書込み期間において第１の電圧に第２の電圧である電圧ΔＶｅを重畳した電圧Ｖｅ２を維持電極ＳＵ１〜ＳＵｎに印加する。
【００４２】
この構成において、維持電極ＳＵ１〜ＳＵｎに電圧Ｖｅ２を印加しているときに、何らかの理由で過電流が流れたと仮定する。すると、副電源部７２の正特性サーミスタＲ７２１を流れる電流が増加する。そして正特性サーミスタＲ７２１で消費される電力はその電流の２乗に比例して増加するので、正特性サーミスタＲ７２１の温度が急激に上昇し、正特性サーミスタＲ７２１の抵抗値が増加して正特性サーミスタＲ７２１を流れる電流が制限される。そのため１５Ｖ電源そのものは過電流とはならないので１５Ｖ電源の電圧が低下することはなく、この電源を用いて動作する制御回路等が異常をきたす恐れはない。もちろん維持電極ＳＵ１〜ＳＵｎに印加される電圧は電圧Ｖｅ２より低くなるが、電圧Ｖｅ１まで低下するとダイオードＤ７４１が導通して電圧Ｖｅ１が供給される。この状態であれば、維持電極ＳＵ１〜ＳＵｎには電圧Ｖｅ２の代わりに電圧Ｖｅ１が印加されるので、書込み放電がやや不安定になるものの、プラズマディスプレイ装置は継続して画像を表示することができる。なお、過電流が大きく電圧Ｖｅ１も低下する場合には、電源回路６０の保護回路が電圧Ｖｅ１の過電流を検出して安全に電源の出力を停止させる。
【００４３】
以上のように、本実施の形態におけるプラズマディスプレイ装置によれば、書込み期間において維持電極ＳＵ１〜ＳＵｎに電圧Ｖｅ２を印加しているときに何らかの理由で過電流が流れても、継続して画像を表示することができ、かつ安全性を保障することができる。
【００４４】
本実施の形態においては正特性サーミスタＲ７２１として、正常動作時の抵抗値がおよそ１０Ω、過電流時にはおよそ５００Ωとなる仕様のサーミスタを用いた。しかし正特性サーミスタの仕様はこれに限定されることはなく、パネル特性および回路構成を考慮して制限すべき電流の値に応じた最適な特性をもつサーミスタを選択することが望ましい。
【００４５】
なお、電圧Ｖｅ２の電圧を監視する回路をさらに追加して、電圧Ｖｅ２の低下を検出し異常を知らせる構成としてもよい。
【００４６】
また本実施の形態においては、副電源部７２は電圧ΔＶｅを発生させるものとして説明したが、例えば電圧ΔＶｅに加えて電圧（Ｖｉ４−Ｖａ）を発生させる構成としてもよい。
【産業上の利用可能性】
【００４７】
本発明のプラズマディスプレイ装置は、軽微な不具合に対して画像表示を行っても、安全性を保障することができるので、パネルを用いた画像表示装置として有用である。
【図面の簡単な説明】
【００４８】
【図１】本発明の実施の形態におけるパネルの構造を示す分解斜視図
【図２】同パネルの電極配列図
【図３】同パネルを用いたプラズマディスプレイ装置の回路ブロック図
【図４】同パネルの各電極に印加する駆動電圧波形図
【図５】同プラズマディスプレイ装置の電源回路の回路ブロック図
【図６】同プラズマディスプレイ装置の副電源部およびＶｅ電圧発生部の回路図
【符号の説明】
【００４９】
１０    パネル（プラズマディスプレイパネル）
２１    前面基板
２２    走査電極
２３    維持電極
２８    表示電極対
３１    背面基板
３２    データ電極
５１    画像信号処理回路
５２    データ電極駆動回路
５３    走査電極駆動回路
５４    維持電極駆動回路
５５    タイミング発生回路
５９    維持パルス発生部
６０    電源回路
６２    １次側整流部
６４    低圧電源部
６６    高圧電源部
７２    副電源部
７４    Ｖｅ電圧発生部
１００    プラズマディスプレイ装置
ＳＣ１〜ＳＣｎ    走査電極
ＳＵ１〜ＳＵｎ    維持電極
Ｄ１〜Ｄｍ    データ電極
Ｒ７２１    （正特性）サーミスタ
Ｒ７２２    可変抵抗器
Ｂ７２１    電流バッファ
Ｄ７４１    ダイオード
Ｃ７２１，Ｃ７４１    コンデンサ
Ｑ７４１，Ｑ７４２，Ｑ７４３，Ｑ７４４    スイッチング素子
【図１】
2008040409.tif 000003
【図２】
2008040409.tif 000004
【図３】
2008040409.tif 000005
【図４】
2008040409.tif 000006
【図５】
2008040409.tif 000007
【図６】
2008040409.tif 000008